(57)【要約】      （修正有）【課題】打ち込み作業を容易に行なうことができると共に、支柱として十分な強度を有する金網固定用の杭を提供する。【解決手段】地中に打ち込まれる杭本体部１１と、杭本体部１１に接合固定されて地上に表出し、地上に設置した金網１２、１２を支持しうる支持部１３とを有する。金網１２と支持部１３とは、螺旋状に形成された針金３２により固定されている。【選択図】図１
0003203692.tif 000002
【実用新案登録請求の範囲】
【請求項１】
地中に打ち込まれる杭本体部と、前記杭本体部に接合固定されて地上に表出し、地上に設置した金網を支持しうる支持部とを有することを特徴とする杭。
【請求項２】
前記杭本体部には、前記支持部を固定しうる支持部固定部が設けられていることを特徴とする請求項１記載の杭。
【請求項３】
前記杭本体部は、基端部から先端部に至るに従って細くなるテーパー状に形成されていることを特徴とする請求項１記載の杭。
【請求項４】
前記杭本体部は、横断面略Ｌ字状の全体細長板状に形成され、幅方向中央部に突出端部が長さ方向に沿って形成されていることを特徴とする請求項２記載の杭。
【請求項５】
前記支持部は棒状部材により構成され、前記支持部固定部は、前記杭本体部の基端部に形成され、前記杭本体部の突出端部に対して前記棒状部材の端部を圧接させて、前記棒状部材を前記杭本体部に固定しうる圧接固定部を有することを特徴とする請求項４記載の杭。
【請求項６】
前記杭本体部は断面直角に形成されると共に、前記突出端部の外側面部及び内側面部はいずれも曲面により形成され、前記杭本体部と他の杭の杭本体部とは、厚さ方向に沿って重ね合わせ可能に構成されていることを特徴とする請求項４記載の杭。
【考案の詳細な説明】
【技術分野】
【０００１】
本考案は、杭に係り、特に金網を固定するための杭に関するものである。
【背景技術】
【０００２】
従来より、所定の区域への獣等の侵入を防ぐための金網が知られている。このような金網は、いわゆる鉄筋棒を支柱として地中に打ち込んで、その支柱に金網を固定することで設置している。
前記のような金網に対して獣が突進してくるおそれがあることから、金網には十分な強度が要求される。支柱として用いられる鉄筋棒は一般に径寸法が小さいため、強度を高めるには鉄筋棒を地中に深く打ち込む必要がある。
この場合において、鉄筋棒の長さは、設置する金網の高さに加えて、地面に打ち込まれる分の長さを必要とする。例えば、金網の高さが１．５ｍ、地面に打ち込まれる長さが５０ｃｍであった場合、鉄筋棒は２ｍの長さを必要とする。
【０００３】
このような長さの鉄筋棒を地中に打ち込むためには、脚立等に乗った状態で行なう必要があり、作業の難易度が高いのみならず、作業効率が非常に悪いという不具合があった。
本件実用新案登録出願人はこのような観点から先行技術調査を行ったが、前記不具合を解消するような技術は発見できなかった。
【特許文献１】実開昭５４−７３０６７号公報
【特許文献２】実開昭５４−４９２６９号公報
【考案の開示】
【考案が解決しようとする課題】
【０００４】
本考案は、以上のような従来からの不具合を解消するためのものであって、その課題は、打ち込み作業を容易に行なうことができると共に、支柱として十分な強度を有する金網固定用の杭を提供することにある。
【課題を解決するための手段】
【０００５】
前記課題を解決するために、請求項１に記載の考案にあっては、地中に打ち込まれる杭本体部と、前記杭本体部に接合固定されて地上に表出し、地上に設置した金網を支持しうる支持部とを有することを特徴とする。
【０００６】
従って、地中に打ち込んだ前記杭本体部に前記支持部が接合固定され、前記支持部によって地上に設置した金網が支持される。
【０００７】
請求項２に記載の考案にあっては、前記杭本体部には、前記支持部を固定しうる支持部固定部が設けられていることを特徴とする。
【０００８】
従って、前記支持部が前記支持部固定部によって前記杭本体部に固定される。
【０００９】
請求項３に記載の考案にあっては、前記杭本体部は、基端部から先端部に至るに従って細くなるテーパー状に形成されていることを特徴とする。
【００１０】
請求項４に記載の考案にあっては、前記杭本体部は、横断面略Ｌ字状の全体細長板状に形成され、幅方向中央部に突出端部が長さ方向に沿って形成されていることを特徴とする。
【００１１】
請求項５に記載の考案にあっては、前記支持部は棒状部材により構成され、前記支持部固定部は、前記杭本体部の基端部に形成され、前記杭本体部の突出端部に対して前記棒状部材の端部を圧接させて、前記棒状部材を前記杭本体部に固定しうる圧接固定部を有することを特徴とする。
【００１２】
従って、前記棒状部材の端部が、前記支持部固定部によって前記杭本体部の突出端部に対して圧接された状態で、前記棒状部材が前記杭本体部に固定される。
【００１３】
請求項６に記載の考案にあっては、前記杭本体部は断面直角に形成されると共に、前記突出端部の外側面部及び内側面部はいずれも曲面により形成され、前記杭本体部と他の杭の杭本体部とは、厚さ方向に沿って重ね合わせ可能に構成されていることを特徴とする。
【考案の効果】
【００１４】
請求項１及び２に記載の杭にあっては、地中に打ち込んだ前記杭本体部に前記支持部が接合固定され、前記支持部によって地上に設置した金網が支持されるので、あらかじめ前記杭本体部のみを地中に打ち込んで、その後、別箇に設けられた前記支持部を前記杭本体部に接合固定し、地上に設置した金網を前記支持部によって支持することができる。
その結果、打ち込み作業を容易に行なうことができ、作業効率が良くなると共に、金網を支持する支柱として十分な強度を有する金網固定用の杭を提供することができる。
【００１５】
特に、請求項２に記載の杭にあっては、前記支持部が前記支持部固定部によって前記杭本体部に固定されるので、前記支持部を前記杭本体部に対してより確実に接合固定することができる。
【００１６】
請求項３に記載の杭にあっては、前記杭本体部が基端部から先端部に至るに従って細くなるテーパー状に形成されているので、前記杭本体部を打ち込む際の抵抗が少なく、前記杭本体部を容易に地中に打ち込むことができる。
また、請求項３に記載の杭にあっては、杭本体部の先端部がテーパー状ではない杭に比して、前記杭本体部を軽量化することができる。
【００１７】
請求項４に記載の杭にあっては、前記杭本体部は、横断面略Ｌ字状の全体細長板状に形成され、幅方向中央部に突出端部が長さ方向に沿って形成されているので、接地面積を大きくすることができ、その結果、金網を支持する支柱として十分な強度を確保することができる。
【００１８】
請求項５に記載の杭にあっては、前記棒状部材の端部が、前記支持部固定部によって前記杭本体部の突出端部に対して圧接された状態で、前記棒状部材が前記杭本体部に固定されるので、前記棒状部材を前記杭本体部に対して、強固に接合固定することができる。その結果、前記杭本体部によって前記棒状部材を安定して支持することができ、支柱として十分な強度を確保することができる。
【００１９】
請求項６に記載の杭にあっては、前記杭本体部は断面直角に形成されると共に、前記突出端部の外側面部及び内側面部はいずれも曲面により形成され、前記杭本体部と他の杭の杭本体部とは、厚さ方向に沿って重ね合わせ可能に構成されているので、杭の納入時や不使用時において、密接してコンパクトに重ね合わせることができ、その結果、複数の杭が結束した状態を安定して保つことができると共に、省スペース化を図ることができる。
また、請求項６に記載の杭にあっては、前記杭本体部を他の杭の杭本体部と重ねた状態で使用することができ、支柱としてさらに十分な強度を確保することができる。
またさらに、請求項６に記載の杭にあっては、前記突出端部の外側面部及び内側面部はいずれも曲面により形成されているので、搬送時や設置作業時に前記突出端部が人や物に当接することにより傷つけるといった事態を防止することができる。
【図面の簡単な説明】
【００２０】
【図１】図１は、本考案に係る杭の一実施の形態において、金網を取り付けた使用状態を示す側面図である。
【図２】図２（ａ）は、本考案に係る杭の一実施の形態を示す平面図であり、（ｂ）は本考案に係る杭を厚さ方向に沿って重ねた状態を示す平面図である。
【図３】図３は、本考案に係る杭の一実施の形態において、杭に棒状部材を取り付ける途中の状態を示す斜視図である。
【図４】図４は、本考案に係る杭の一実施の形態において、金網を固定する途中の状態を示す側面図である。
【考案を実施するための最良の形態】
【００２１】
以下、添付図面に示す実施の形態に基づき、本考案を詳細に説明する。
図１〜図４に示すように、本考案の一実施の形態に係る杭１０は、鉄製であって、地中に打ち込まれる杭本体部１１と、杭本体部１１に接合固定されて地上に表出し、地上に設置した金網１２、１２を支持しうる支持部１３とを有している。
図１及び図４に示すように、本実施の形態に係る金網１２と支持部１３とは、螺旋状に形成された針金３２により固定されている。
本実施の形態にあっては、杭本体部１１の高さ寸法は６００ｍｍであるのに対して、金網１２、支持部１３、針金３２の高さ寸法は、いずれも１５００ｍｍである。
【００２２】
また、図２〜図４に示すように、本実施の形態に係る杭本体部１１には、支持部１３を固定しうる支持部固定部１４が設けられている。
また、図１〜図４に示すように、本実施の形態に係る杭本体部１１は、山形鋼であって、横断面略Ｌ字状の全体細長板状に形成され、幅方向中央部に突出端部１８が長さ方向に沿って形成されている。また、図１及び図４に示すように、本実施の形態に係る杭本体部１１は、基端部１５から先端部１６に至るに従って細くなるテーパー状に形成されている。
【００２３】
また、図１〜図４に示すように、本実施の形態に係る支持部１３は断面円形状であって、周方向に沿って節状のリブ２５、２５・・・が設けられた鉄筋棒（異形棒鋼）１７により構成されている。
また、図２（ａ）に示すように、本実施の形態に係る支持部固定部１４は、杭本体部１１の基端部１５に形成され、杭本体部１１の突出端部１８に対して鉄筋棒１７の端部１９、１９を圧接させて、鉄筋棒１７を杭本体部１１に固定しうる圧接固定部２１を有している。
【００２４】
図２及び図３に示すように、本実施の形態に係る支持部固定部１４は、２箇所に折曲部２６、２６を有する断面截頭直角二等辺三角形状に形成され、幅方向端部２７、２７は杭本体部１１の基端部１５の内側面部２８、２８に夫々溶着されている。
また、図２及び図３に示すように、本実施の形態に係る支持部固定部１４の截頭面３０の中央には、内側面にネジ部（図示せず）が形成された孔部３１が設けられている。
図２及び図３に示すように、本実施の形態に係る圧接固定部２１は、ボルト２９と、ボルト２９が挿通される孔部３１とにより構成され、ボルト２９は孔部３１に螺合しうると共に、ボルト２９が鉄筋棒１７の端部２０に当接し、鉄筋棒１７を杭本体部１１の突出端部１８に圧接しうるように構成されている。
【００２５】
また、図２に示すように、本実施の形態に係る杭本体部１１は断面直角に形成されると共に、突出端部１８の外側面部２２及び内側面部２３はいずれも曲面により形成され、図２（ｂ）に示すように、杭本体部１１と他の杭の杭本体部２４とは、厚さ方向に沿って重ね合わせ可能に構成されている。
【００２６】
以下、本実施の形態に係る杭１０の作用について説明する。
図１及び図４に示すように、本実施の形態に係る杭１０を使用する際には、杭本体部１１を地中に打ち込む。ここで、図４に示すように、基端部１５に設けられた支持部固定部１４は、地中に打ち込まず地上に表出した状態にする。
続いて、図３に示すように、本実施の形態に係る支持部１３を構成する鉄筋棒１７を杭本体部１１と支持部固定部１４との間に挿通し、ボルト２９を孔部３１に螺合させる。
その結果、図２に示すように、圧接固定部２１を構成するボルト２９が鉄筋棒１７の端部２０に当接し、さらにボルト２９を締結させることにより、杭本体部１１の突出端部１８に対して鉄筋棒１７の端部１９、１９が圧接し、鉄筋棒１７は端部１９、１９、２０の３点において杭本体部１１に固定される。
最後に、図１及び図４に示すように、金網１２、１２を鉄筋棒１７の両側に配置し、螺旋状に形成された針金３２を金網１２、１２の端部を係止させながら、鉄筋棒１７に巻きつけることにより、金網１２、１２と鉄筋棒１７とが固定され、金網１２、１２を設置することができる。
【００２７】
以上のように構成されていることから、図１〜図４に示すように、本実施の形態に係る杭１０にあっては、あらかじめ６００ｍｍの杭本体部１１のみを地中に打ち込んで、その後、別箇に設けられた１５００ｍｍの鉄筋棒１７を杭本体部１１に接合固定し、地上に設置した金網１２、１２を鉄筋棒１７によって支持することができる。
その結果、従来のように長さ寸法の大きい鉄筋棒１７を打ち込む作業が不要となるため、打ち込み作業を容易に行なうことができ、その結果、作業効率を良くすることができる。
【００２８】
特に、図１及び図４に示すように、本実施の形態に係る杭１０にあっては、杭本体部１１が基端部１５から先端部１６に至るに従って細くなるテーパー状に形成されているので、杭本体部１１を打ち込む際の抵抗が少なく、杭本体部１１を容易に地中に打ち込むことができる。
さらに、本実施の形態に係る杭１０にあっては、従来の杭本体部の先端部がテーパー状ではない杭に比して、杭本体部１１を軽量化することができる。
【００２９】
また、図１〜図４に示すように、本実施の形態に係る杭１０にあっては、
杭本体部１１が、横断面略Ｌ字状の全体細長板状に形成され、幅方向中央部に突出端部１８が長さ方向に沿って形成されているので、接地面積を大きくすることができ、その結果、金網１２、１２を支持する支柱として十分な強度を確保することができる。
【００３０】
またさらに、図２及び図３に示すように、本実施の形態に係る杭１０にあっては、圧接固定部２１を構成するボルト２９が鉄筋棒１７の端部２０に当接し、さらにボルト２９を締結させることにより、杭本体部１１の突出端部１８に対して鉄筋棒１７の端部１９、１９が圧接する。その結果、図２に示すように、鉄筋棒１７は端部１９、１９、２０の３点において杭本体部１１に固定される。
従って、ボルト２９を締結させる作業のみで簡単に鉄筋棒１７を杭本体部１１に固定することができる。
また、図２に示すように、鉄筋棒１７の端部１９、１９が、杭本体部１１の突出端部１８に対して圧接された状態で固定されるので、鉄筋棒１７を杭本体部１１に対して、強固に接合固定することができる。その結果、杭本体部１１によって鉄筋棒１７を安定して支持することができ、金網１２、１２を支持する支柱として十分な強度を確保することができる。
【００３１】
また、図２（ｂ）に示すように、本実施の形態に係る杭１０にあっては、杭本体部１１は断面直角に形成されると共に、突出端部１８の外側面部２２及び内側面部２３はいずれも曲面により形成され、図２（ｂ）に示すように、杭本体部１１と他の杭の杭本体部２４とは、厚さ方向に沿って重ね合わせ可能に構成されている。
従って、杭１０の納入時や不使用時において、密接してコンパクトに重ね合わせることができ、その結果、複数の杭１０、２４・・・が結束した状態を安定して保つことができると共に、省スペース化を図ることができる。
また、本実施の形態に係る杭１０にあっては、杭本体部１１を他の杭の杭本体部２４と重ねた状態で使用することができ、金網を支持する支柱としてさらに十分な強度を確保することができる。
またさらに、図２（ａ）及び（ｂ）に示すように、本実施の形態に係る杭１０にあっては、突出端部１８の外側面部２２及び内側面部２３はいずれも曲面により形成されているので、搬送時や設置作業時に突出端部１８が人や物に当接することにより傷つけるといった事態を防止することができる。
【００３２】
本実施の形態に係る杭本体部１１は、山形鋼であって、横断面略Ｌ字状の全体細長板状に形成され、幅方向中央部に突出端部１８が長さ方向に沿って形成されている場合を例に説明したが、前記構成に限定されない。
また、本実施の形態に係る杭本体部１１は、基端部１５から先端部１６に至るに従って細くなるテーパー状に形成されている場合を例に説明したが、前記構成に限定されない。
また、本実施の形態に係る支持部１３は断面円形状であって、周方向に沿って節状のリブ２５、２５・・・が設けられた鉄筋棒１７により構成されている場合を例に説明したが、前記構成に限定されず、地上に設置した金網を支持しうるように構成されていればよい。
【産業上の利用可能性】
【００３３】
本考案は、杭に広く適用可能であり、産業上利用可能性を有している。
【符号の説明】
【００３４】
１０：杭
１１：杭本体部
１２：金網
１３：支持部
１４：支持部固定部
１５：基端部
１６：先端部
１７：鉄筋棒
１８：突出端部
１９、２０：端部
２１：圧接固定部
２２：突出端部の外側面部
２３：突出端部の内側面部
２４：杭本体部
２５：リブ
２６：折曲部
２７：幅方向端部
２８：基端部の内側面部
２９：ボルト
３０：截頭面
３１：孔部
３２：針金
【図１】
0003203692.tif 000003
【図２】
0003203692.tif 000004
【図３】
0003203692.tif 000005
【図４】
0003203692.tif 000006